(57)【要約】【課題】本発明は、錠前に関し、施錠・解錠を別の釦で操作したり、逆方向に操作したりしなければならなかった従来の錠前の面倒な操作を解決して、誰でも容易に操作できる錠前を提供することが目的である。  【解決手段】デッドボルト２による施錠・解錠が、操作釦３の所定方向への移動操作と該操作釦の所定方向への移動操作によって生じる弾性体の反発力による戻し操作とによって往復直線移動される一つの前記操作釦３への同一操作により、前記デッドボルト２の移動を正逆方向に移動させる正逆切替手段５で繰り返し切り替わる錠前１とすることである。【選択図】図１−Ａ
2010031507.tif 000002
【特許請求の範囲】
【請求項１】
デッドボルトによる施錠・解錠が、
所定方向へ往復移動操作される一つの操作釦に対して同一の移動操作を繰り返し操作することで、前記操作釦に係合して駆動され前記デッドボルトの移動を正・逆方向に移動させる正逆切替手段によって、繰り返し切り替わること、
を特徴とする錠前。
【請求項２】
操作釦は、所定方向への移動操作と、該操作釦の所定方向への移動操作によって生じる弾性体の反発力による戻し操作とによって往復直線移動される釦であること、
を特徴とする請求項１に記載の錠前。
【請求項３】
同一の移動操作は、押し込む操作，回す操作，引く操作，スライド操作，揺動操作の内のいづれか一つであること、
を特徴とする請求項１または２に記載の錠前。
【請求項４】
施錠・解錠方向に出没するデッドボルトと、該デッドボルトを施錠・解錠方向に移動させる駆動レバーに係止される連結カムと、該連結カムと一体にして同軸で回動するボタンカムと、該ボタンカムを往復移動させる操作釦と、これらを移動自在に若しくは回動自在に設ける錠前の筐体とがあって、
前記操作釦への所定方向への移動操作を１回行う毎に、前記ボタンカムの回動する方向を逆転させる正逆切替手段を介して、前記ボタンカム及び連結カムにより前記デッドボルトが正・逆方向に移動されることにより、錠前の施錠・解錠が行われること、
を特徴とする錠前。
【請求項５】
正逆切替手段は、
操作釦によって強制的に往復移動されるとともに、前記往復移動方向に直交する方向に移動自在にして支持され、一端部で係合するボタンカムに案内されて戻されるカム用転動軸と、
前記カム用転動軸が前記操作釦の往復直線移動における往移動の時のみ同方向に沿って移動するように規制して当該カム用転動軸が係合するボタンカムを所定方向に回動させるように規制する転動軸用ガイドと、
前記転動軸用ガイドを常に前記操作釦の往移動方向に付勢する弾性体と、
前記カム用転動軸の一端部に係合して回転軸を中心に所要の範囲で回動するボタンカムと、
前記操作釦の往復直線移動における往移動の時に前記ボタンカムを回動させるため前記カム用転動軸の端部が係合する係合部であるとともに、前記操作釦の復移動の時に前記カム用転動軸の移動をガイドするものであって、前記往復直線移動の方向と直交する方向に元の位置と対称位置に入れ替わるように斜行させてガイドするように前記ボタンカムに設けられた移動用長孔と、
からなること、
を特徴とする請求項４に記載の錠前。
【請求項６】
操作釦の所定方向の移動操作を阻止するための邪魔板を、前記操作釦の往復移動の範囲内に出没させる規制錠が設けられていること、
を特徴とする請求項１乃至５のいずれかに記載の錠前。
【発明の詳細な説明】
【技術分野】
【０００１】
本発明は、例えば、扉、シャッター、引き戸等において使用され、所定の移動操作のみで施錠・解錠が可能な錠前に関するものである。
【背景技術】
【０００２】
従来、例えば、押釦の押し込み操作のみで施錠・解錠ができて、衛生面でも嫌悪感を感じさせない一対の押し釦を背反的に出没させる施錠装置が知られている（特許文献１参照）。
【特許文献１】特開２００１−１７３２９３号公報
【発明の開示】
【発明が解決しようとする課題】
【０００３】
しかし、従来の押釦式の施錠装置では、一対の押し釦が必要であり部品の数が増え、施錠装置全体の大きさが大きくなってしまう。また、介護施設、老人医療施設や保育所などにおいて、老人や子供等が操作する場合に、操作釦が２つ有るので、一瞬、操作すべき釦がどちらなのか認識するのにとまどうこともある。そのため、前記釦の色などを変更したり形を変えたり、操作説明用板を設けたりしていて、部品点数が増えてコストが嵩み、操作ミスを無くすために手間の掛かるものである。更に、開け閉めの容易な扉の仮錠としてカマを操作して施錠するものは無かった。
本発明に係る錠前は、このような課題を解決するために提案されたものである。
【課題を解決するための手段】
【０００４】
本発明に係る錠前の上記課題を解決して目的を達成するための要旨は、デッドボルトによる施錠・解錠が、所定方向へ往復移動操作される一つの操作釦に対して同一の移動操作を繰り返し操作することで、前記操作釦に係合して駆動され前記デッドボルトの移動を正・逆方向に移動させる正逆切替手段によって、繰り返し切り替わることである。
【０００５】
前記操作釦は、所定方向への移動操作と、該操作釦の所定方向への移動操作によって生じる弾性体の反発力による戻し操作とによって往復直線移動される釦であること、；
前記同一の移動操作は、押し込む操作，回す操作，引く操作，スライド操作，揺動操作の内のいづれか一つであること、；を含むものである。
【０００６】
また、本発明の要旨は、施錠・解錠方向に出没するデッドボルトと、該デッドボルトを施錠・解錠方向に移動させる駆動レバーに係止される連結カムと、該連結カムと一体にして同軸で回動するボタンカムと、該ボタンカムを往復移動させる操作釦と、これらを移動自在に若しくは回動自在に設ける錠前の筐体とがあって、前記操作釦への所定方向への移動操作を１回行う毎に、前記ボタンカムの回動する方向を逆転させる正逆切替手段を介して、前記ボタンカム及び連結カムにより前記デッドボルトが正・逆方向に移動されることにより、錠前の施錠・解錠が行われることである。
【０００７】
更に、前記正逆切替手段は、操作釦によって強制的に往復移動されるとともに、前記往復移動方向に直交する方向に移動自在にして支持され、一端部で係合するボタンカムに案内されて戻されるカム用転動軸と、前記カム用転動軸が前記操作釦の往復直線移動における往移動の時のみ同方向に沿って移動するように規制して当該カム用転動軸が係合するボタンカムを所定方向に回動させるように規制する転動軸用ガイドと、前記転動軸用ガイドを常に前記操作釦の往移動方向に付勢する弾性体と、前記カム用転動軸の一端部に係合して回転軸を中心に所要の範囲で回動するボタンカムと、前記操作釦の往復直線移動における往移動の時に前記ボタンカムを回動させるため前記カム用転動軸の端部が係合する係合部であるとともに、前記操作釦の復移動の時に前記カム用転動軸の移動をガイドするものであって、前記往復直線移動の方向と直交する方向に元の位置と対称位置に入れ替わるように斜行させてガイドするように前記ボタンカムに設けられた移動用長孔と、からなることを含むものである。
【０００８】
更に、操作釦の所定方向の移動操作を阻止するための邪魔板を、前記操作釦の往復移動の範囲内に出没させる規制錠が設けられていることを含むものである。
【発明の効果】
【０００９】
本発明の錠前によれば、例えば、操作釦を押すことにより、デッドボルトが施錠方向に回動又は移動して施錠される。次に、前記操作釦を押すと、前記デッドボルトが前回とは逆方向に回動又は移動して、解錠される。このように、一つの操作釦に対する所定方向の移動操作（押す、回す、下げる上げる等のスライド操作、引く、揺動する等の移動操作を含む）によって、施錠・解錠が交互に切り替わるものである。この錠前であれば、一つの釦に対して一定の操作しかないので操作が簡単になり、例えば、老人看護施設・医療施設等において好適な空錠となる。
【００１０】
前記操作釦の所定方向の移動操作を阻止するための邪魔板を、前記操作釦の往復移動の範囲内に出没させる規制錠が設けられているので、施錠状態若しくは解錠状態を維持することができて、子供・老人等の誤操作を防止できる。
【発明を実施するための最良の形態】
【００１１】
本発明に係る錠前１は、図１−Ａ乃至図１−Ｂに示すように、デッドボルト２による施錠・解錠が、操作釦３の所定方向への移動操作Ａ（押し込む操作，軸中心に回す操作，引く操作，メント平行に左右上下にスライド操作，レバーなどによる揺動操作等のうちのいづれかである）と、該操作釦の所定方向への移動操作Ａによって生じる、例えば、弾性体４の反発力による戻し操作Ｂとによって往復直線移動される一つの操作釦３への同一操作により、前記デッドボルト２の移動を正・逆方向に移動させる正逆切替手段５で繰り返し切り替わるものである。以下の実施例では、一例として、操作釦３を押し込む操作にして説明する。
【００１２】
この錠前１の具体的な構成は、施錠・解錠方向に回動して又は移動して出没するデッドボルト２があり、図示する実施例では、回転支持部２ａを中心にして９０°の範囲で回動自在にして框体６に支持されている。
【００１３】
前記デッドボルト２を施錠・解錠方向に移動させる、図２（Ａ），（Ｂ）に示すように、金属製で細長い板状の駆動レバー７に係止される連結カム８がある。駆動レバー７は、直線状に往復移動できるように框体６に支持されている。図２（Ａ）に示す状態が、解錠状態であり、図２（Ｂ）に示す状態が、施錠状態である。
【００１４】
前記駆動レバー７は、図３に示すように、中心軸８ａを中心にして９０°の範囲で回動する連結カム８によって、直線往復移動される。連結カムの一端部に突設された係止突起８ｂが、駆動レバー７の係合長孔７ｂに係合している。駆動レバー７の先端側の突起７ａが、デッドボルト２の係合部２ｂに係合されている。よって、前記連結カム８が、正逆方向に９０°で回動すると、駆動レバー７を介して、デッドボルト２が施錠方向と解錠方向とに回動することになる。
【００１５】
前記連結カム８と一体にして同軸で回動するボタンカム９があり、このボタンカム９は、図４（Ａ），（Ｂ）乃至図５（Ａ），（Ｂ）に示すように、箱形の基台１０の内側の側壁１０ｃと外側の側壁１０ｂに連通させて設けられた貫通孔１０ｅに、円柱状の回転軸９ａが挿入されて回転自在に支持される。
【００１６】
前記ボタンカム９の回転軸９ａの端部が前記貫通孔１０ｅから外に突出して、その突出部の周方向に形成された凹部及び突部に、前記連結カム８の中心軸８ａの凹部及び突部が嵌合され、この両回転軸９ａ，８ａが一体になって同方向に回転するものである。このボタンカム９には、その長手方向に沿って凹溝９ｂがほぼ全長に亘り設けられ、一端側で端面に開口している。
【００１７】
前記ボタンカム９は、前記基台１０とともに、側壁にある係止爪１０ａによって、框体６の裏面にある係止爪６ａに嵌合され、框体６に取り付けられ固定される。このボタンカム９は、前記基台１０に嵌合される操作釦３によって、回転軸９ａを中心に所要範囲で揺動されるものである。
【００１８】
また、基台１０には、図１−Ａ（Ａ），（Ｂ）、図６−Ａ（Ａ）〜（Ｃ）に示すように、前記ボタンカム９の対面側にある側壁１０ｄに、操作釦３の往復移動操作Ａ，Ｂ方向に沿って平行にスライド自在に支持された、合成樹脂製でＴ字形平板体の転動軸用ガイド１１がある。図６−Ｂ（Ａ）〜（Ｄ）に、転動軸用ガイド１１の形状を示す。更に、この転動軸用ガイド１１を、前記操作釦３の移動操作Ａ方向に沿って、付勢する弾性体であるコイルバネ１２が設けられている。
【００１９】
前記基台１０にその開口部から内部に嵌合される、図７に示す箱形の操作釦３は、図１−Ａ及び図１−Ｂに示すように、前記基台１０が框体６に固定されることで、図１−Ｃ（Ａ）に示すように、框体６の表側の開口部６ｂから釦操作部分が突出し、この操作釦３は、前記開口部６ｂから抜け出すことなく、前記基台１０の内部に押し込められ、押し込み力を解放すると、弾性体４により開口部６ｂ側へ戻されるものである。
【００２０】
前記操作釦３には、図７（Ａ）に示すように、内部空間において、中央部に隔壁３ａが設けられ、その隔壁３ａには長孔３ｂが操作釦３の移動操作Ａ，Ｂ方向に直交する方向Ｃ，Ｄに沿って設けられている。前記隔壁３ａの両端部には、弾性体４を収納する筒部３ｃ，３ｄが設けられている。
【００２１】
前記長孔３ｂには、図７（Ｂ）に示すように、カム用転動軸１３が回転・移動自在に取り付けられている。このカム用転動軸１３は、前記隔壁３ａを挟むようにしてフランジ部が設けられ、両側に円柱状の軸部１３ａ，１３ｂが突設されている。この軸部１３ａは、ボタンカム９の凹溝９ｂにその開口側から挿入されるものである。また前記軸部１３ｂは、前記転動軸用ガイド１１の切欠き部１１ａから下規制面１１ｂの下位置に配置されるものである。このカム用転動軸１３が、基台１０側のボタンカム９と転動軸用ガイド１１と係合するのは、基台１０に操作釦３を嵌合させた時に係合されるものである。
【００２２】
このような錠前１において、前記操作釦３への所定方向への移動操作Ａを１回行う毎に、前記ボタンカム９の揺動する方向を逆転させる正逆切替手段５を介して、前記ボタンカム９及び連結カム８により前記デッドボルト２が正・逆方向に移動されることにより、施錠・解錠が行われる。以下、正逆切替手段５とその動作を説明する。
【００２３】
前記正逆切替手段５は、前記カム用転動軸１３と、転動軸用ガイド１１と、前記転動軸用ガイド１３を常に前記操作釦３の移動操作Ａ方向に付勢する弾性体の前記コイルバネ１２と、前記ボタンカム９及びこれに設けられた係合・ガイド用の長孔３ｂとで構成されるものである。
【００２４】
前記カム用転動軸１３は、操作釦３によって強制的に移動操作Ａ，Ｂ方向に往復移動されるとともに、前記往復移動方向に直交する方向（Ｃ，Ｄ方向：図７（Ａ）参照）に移動自在にして支持され、一端部の軸部１３ａで係合するボタンカム９に案内される。また、他端部の軸部１３ｂは、前記転動軸用ガイド１１に係合する。
【００２５】
前記転動軸用ガイド１１は、前記カム用転動軸１３が前記操作釦３の往復直線移動における往移動、即ち、所定の移動操作Ａ方向の移動の時のみ、同方向に沿って移動するように規制して、当該カム用転動軸１３が係合するボタンカム９をその回転軸９ａを中心に所定方向に回動させるように規制する、所要板厚分の幅がある下規制面１１ｂと上規制面１１ｄとを有している。尚、待避用当接面１１ｃは、前記カム用転動軸１３の軸部１３ｂが、操作釦３とともに戻し操作Ｂ方向に斜めに移動する際に、転動軸用ガイド１１が邪魔になるので、この転動軸用ガイド１１を前記戻し操作Ｂ方向に移動させるために当接するものである。但し、待避用当接面１１ｃの存在範囲は、前記軸部１３ｂが、移動操作Ａ，Ｂ方向において初期状態に戻った位置に置いては、存在しないようになっている。
【００２６】
前記長孔３ｂは、前記操作釦３の往復直線移動における往移動、即ち移動操作Ａの時に前記ボタンカム９を回動させるため前記カム用転動軸１３の端部の軸部１３ａが係合する係合部であるとともに、前記操作釦３の復移動、即ち、戻し操作Ｂの時に前記カム用転動軸１３の移動をガイドするものであって、前記往復直線移動Ａ，Ｂの方向と直交するＣ方向，Ｄ方向に、元の位置と対称位置に入れ替わるように斜行させてガイドする。
【００２７】
このような、正逆切替手段５が在ることで、例えば、図８（Ａ）〜（Ｅ）に示すように、同図（Ａ）の初期状態では、カム用転動軸１３が、図においてＣ方向の端にあり、これを仮に下位置とする。そして、操作釦３を指などで弾性体４の付勢力に抗して移動操作Ａ方向に押し込むと、図８（Ｂ）に示すように、カム用転動軸１３が移動操作Ａ方向と平行に移動する。この時、前記カム用転動軸１３が、係合する長孔９ｂに沿って斜め左上に移動しないのは、転動軸用ガイド１１の下規制面１１ｂの当接してこの面に沿って移動するように規制されているからである。
【００２８】
前記カム用転動軸１３が前記下規制面１１ｂに沿って移動するので、前記ボタンカム９がその回転軸９ａを中心にして、時計方向に９０°回転する。これで、図２乃至図３に示すように、連結カム８及び駆動レバー７を介して、デッドボルト２が施錠方向に９０°回転して、錠前１が施錠される。尚、カム用回動軸１３は、前記下規制面１１ｂを通り過ぎた後は、前記ボタンカム９が回転してその凹溝９ｂが下から右斜め上に傾斜するので、戻ることが不可能であってそのまま移動操作Ａ方向に慣性で進むのである。
【００２９】
前記図８（Ｂ）に示す状態から、操作者が指を操作釦３から離すと、図８（Ｃ）に示すように、操作釦３が弾性体４の反発力で戻し操作Ｂ方向に戻される。すると、ボタンカム９の凹溝９ｂが下から右斜め上に傾斜しているので、これに係合する軸部１３ａが斜め上にガイドされる。よって、図６−Ａ（Ａ），（Ｂ）に示すように、カム用転動軸１３の軸部１３ｂが斜めにガイドされて転動軸用ガイド１１の待避用当接面１１ｃに当接して、当該転動軸用ガイド１１を移動操作Ｂ方向に待避させる。同時に、コイルバネ１２が受け部１１ｆに押されて縮むことになる。
【００３０】
その後、カム用転動軸１３が斜め右上に移動すると、前記待避用当接面１１ｃが存在しなくなり、図６−Ａ（Ｃ）に示すように、前記転動軸用ガイド１１が、コイルバネ１２の反発力で、移動操作Ｂ方向に引っ張られて元の位置に戻る。そして、前記カム用転動軸１３は、戻し操作Ｂ方向においては元の位置に戻り、直交するＤ方向において、初期状態の位置とは対称の上位置に移動する。こうして、図８（Ｄ）から図８（Ｅ）に示す状態になる。操作釦３は、初期状態に戻ったが、ボタンカム９は９０°回動し、カム用転動軸１３は、Ｄ方向の上位置に存在している。
【００３１】
次に、図９（Ａ）〜（Ｅ）に示すように、再び操作釦３を弾性体４の付勢力に抗して指で押し込む。操作釦３が移動操作Ａ方向に移動するので、カム用転動軸１３も同方向に移動し、転動軸用ガイド１１の上規制面１１ｄにより、斜め下方向に誘導されることなく、前記移動操作Ａ方向に平行に進む。そして、ボタンカム９の回転軸９ａを通過すると、前記上規制面１１ｄは存在しなくなるが、ボタンカム９の凹溝９ｂも半時計方向に回転して上から斜め右下に傾斜するので、前記カム用転動軸１３はそのまま慣性で移動操作Ａ方向に進んで停止する。
【００３２】
前記カム用転動軸１３が直線的に移動操作Ａ方向に進むので、ボタンカム９は、回転軸９ａを中心にして半時計方向に９０°回転する。これにより、図２乃至図３に示すように、連結カム８及び駆動レバー７を介して、デッドボルト２が解錠方向に９０°回転されて錠前１が解錠される。
【００３３】
そして、図９（Ｃ），（Ｄ）に示すように、操作釦３から指を離すと、前記弾性体４の反発力により、戻し操作Ｂ方向に操作釦３が移動する。カム用転動軸１３が、軸１３ａが係合する凹溝９ｂにガイドされて、図において右斜め下に誘導される。
【００３４】
また、同時に、軸部１３ｂによって、図６−Ａ（Ｃ）に示すように、右斜め下に移動中に、転動軸用ガイド１１の当接面１１ｃに当接して該転動軸用ガイド１１を移動操作Ｂ方向に待避させ、同時に、コイルバネ１２が受け部１１ｆに押されて縮む。更に軸部１３ｂが斜め下に移動して下位置に到達すると、前記当接面１１ｃが存在しなくなる。そこで、前記コイルバネ１２によって移動操作Ａ方向に付勢されて、前記転動軸用ガイド１１が元の位置に戻される（図９（Ｅ）参照）。
【００３５】
こうして、解錠状態になると共に、前記ボタンカム９が下から左斜め上に傾斜し、カム用転動軸１３が下位置に戻って初期状態（図８（Ａ）に示す状態）と同じになる。この正逆切替手段５荷より、操作釦３を同一操作の、例えば押す毎に、前記カム用転動軸１３が、移動操作Ａ方向においては同じ初期位置に戻るが、Ｃ，Ｄ方向においては、下位置と上位置とに入れ替わる。それによって、ボタンカム９の回動方向が切り替わるものである。
【００３６】
また、この錠前１には、図１−Ａに示すように、操作釦３の施錠・解錠操作を阻止するための邪魔板１４が、前記操作釦３の往復直線移動の範囲内に出没させる規制錠１５が設けられている。前記邪魔板１４が、基台１０のスリット１０ｆから内部に入り込んで、操作釦３の移動操作Ａ方向の移動を阻止するものである。この実施例では、駆動レバー７の後端部が解錠時には前記基台１０のスリットを塞ぐように設定されていて、解錠操作だけできないように操作釦３の移動を阻止するようになっている。これにより、施錠状態が維持されて、いわゆる空錠としての使用だけでなく、通常の施錠可能な錠前としての使用もできるものである。
【図面の簡単な説明】
【００３７】
【図１−Ａ】本発明に係る錠前１の裏側のカバーを外した状態の背面図（Ａ）、側面図（Ｂ）、平面図（Ｃ）、底面図（Ｄ）である。
【図１−Ｂ】同錠前１の側面図である。
【図１−Ｃ】同錠前１の正面図（Ａ）、側面図（Ｂ）、背面図（Ｃ）、側面図（Ｄ）である。
【図２】同本発明の錠前１における、デッドボルト２と駆動レバー７の係合関係を示す説明図（Ａ），（Ｂ）である。
【図３】同本発明の錠前１における、連結カム８と駆動レバー７との係合関係を示す説明図（Ａ），（Ｂ）である。
【図４】同錠前１の基台１０の内部を説明する断面図（Ａ）と、基台１０の側面図（Ｂ）である。
【図５】ボタンカム９と連結カム８とが一体になって正逆方向に９０°回転する様子を説明する説明図（Ａ），（Ｂ）である。
【図６−Ａ】カム用転動軸１３と、転動軸用ガイド１１と、コイルバネ１２との係合関係を示す説明図（Ａ）〜（Ｃ）である。
【図６−Ｂ】転同軸用ガイド１１の正面図（Ａ）と、側面図（Ｂ），（Ｃ）と、平面図（Ｄ）とである。
【図７】錠前１における操作釦３の内部構造を示す斜視図（Ａ）と、その一部断面図（Ｂ）とである。
【図８】錠前１における正逆切替手段５の、施錠方向における動作を説明する説明図（Ａ）〜（Ｅ）である。
【図９】同錠前１における正逆切替手段５の、解錠方向における動作を説明する説明図（Ａ）〜（Ｅ）である。
【符号の説明】
【００３８】
１          錠前、
２          デッドボルト、                    ２ａ          回転支持部、
３          操作釦、                          ３ａ          隔壁、
３ｂ        長孔、                            ３ｃ，３ｄ    筒部、
４          弾性体、
５          正逆切替手段、
６          框体、                            ６ａ          係止爪、  
６ｂ        開口部、
７          駆動レバー、                      ７ａ          突起、
７ｂ        係合長孔、
８          連結カム、                        ８ａ          中心軸、
８ｂ        係止突起、
９          ボタンカム、                      ９ａ          回転軸、
９ｂ        凹溝、        
１０        基台、                            １０ａ        係止爪、
１０ｂ      外の側壁、                        １０ｃ        内部の側壁、
１０ｄ      内部の側壁、                      １０ｅ        貫通孔、
１０ｆ      スリット、
１１        転同軸用ガイド、
１２        コイルバネ、
１３        カム用転動軸、                    １３ａ        軸部、
１４        邪魔板、
１５        規制錠。
【図１−Ａ】
2010031507.tif 000003
【図１−Ｂ】
2010031507.tif 000004
【図１−Ｃ】
2010031507.tif 000005
【図２】
2010031507.tif 000006
【図３】
2010031507.tif 000007
【図４】
2010031507.tif 000008
【図５】
2010031507.tif 000009
【図６−Ａ】
2010031507.tif 000010
【図６−Ｂ】
2010031507.tif 000011
【図７】
2010031507.tif 000012
【図８】
2010031507.tif 000013
【図９】
2010031507.tif 000014